(57)【要約】【課題】  必要とされる金型個数を低減してコスト削減を図れるクロスフローファンを提供することを目的とする。【解決手段】  空気調和機の上部に配置される第一クロスフローファン１３を、ボス付ファンユニット１５と、複数個のファンユニット１９と、エンドプレート１６とから構成する一方、下部に配置される第二クロスフローファン１４を、ボス付エンドプレート１７と、反転した複数個のファンユニット１９と、軸付ファンユニット１８で構成することにより、これらを夫々成型する金型個数は計５個で済み、金型個数とともに、その費用を低減できるようになっている。【選択図】図３
2008267181.tif 000002
【特許請求の範囲】
【請求項１】
同一方向に配設された一対の駆動源に、回転方向が異なるように夫々接続される一対のクロスフローファンであって、
前記クロスフローファンは、前記駆動源に接続されるボス付ファンユニットと、リング状のフレーム一側に複数のブレードを形成したファンユニットと、円盤状の側板に軸を突設した軸付エンドプレートと、円盤状の側板にボスを突設したボス付エンドプレートと、前記ファンユニットに軸を突設した軸付ファンユニットとからなり、
一方は、前記ボス付ファンユニットと、前記フレームを同ボス付ファンユニット側に位置させた複数の前記ファンユニットと、前記軸付エンドプレートとを夫々接合して構成され、
他方は、前記ボス付エンドプレートと、前記フレームを同ボス付ファンユニットの反対側に位置させた複数の前記ファンユニットと、前記軸付ファンユニットとを夫々接合して構成されることを特徴とするクロスフローファン。
【発明の詳細な説明】
【技術分野】
【０００１】
本発明は、クロスフローファンに係わり、より詳細には、製造コストを低減できる構成に関する。
【背景技術】
【０００２】
従来の床置型の空気調和機は、例えば特許文献１に開示されているように、室内ユニット本体の前面上部及び前面下部に吹出口を設け、中央部に、室内の空気を吸引する吸込グリルを設けている。室内ユニット本体内には、吸込グリルに対応して中央部に熱交換器が配置され、その背面側に、夫々の吹出口に対応して上下一対のクロスフローファンが配置され、これらは逆回転しながら熱交換された空気を夫々送出するようになっている。また、同クロスフローファンを駆動する駆動モータは、室内ユニット本体内で左右対称位置に配置されるようになっている。
【０００３】
クロスフローファンにはブレードの向きがあるが、同クロスフローファンとこれを駆動する駆動モータを、上下一対のクロスフローファンにおいて左右対称位置に配置することにより、これらクロスフローファンは同一形状のものを使用することができるようになっている。また、左右対称位置の配置により駆動モータの回転方向が一定であっても、上下一対のクロスフローファンは互いに逆回転するようになっている。
【０００４】
しかしながら、室内ユニット本体内で駆動モータを左右対称位置に配置すると、その分、室内ユニット本体の横幅寸法が大きくなり、ユニットのコンパクト化をはかる上で妨げとなり、また、配線の引き廻しも猥雑になるという問題を抱えていた。
【０００５】
上記した問題に対応するため、例えば特許文献２に開示されているように、室内ユニット本体内の片側上下に一対の駆動モータを配置し、これにブレードの向きのことなるクロスフローファンを夫々接続する方法がある。上下一対の駆動モータは互いに逆回転することにより、夫々の吹出口から熱交換された空気を送出することができるようになっており、これにより、室内ユニット本体のコンパクト化と、配線引き廻しの簡素化がはかれるようになっている。
【０００６】
通常、クロスフローファンは、金型による樹脂成型から形成された３種類の部材を超音波接合により夫々接合して製造されるようになっている。３種類の部材は、ボスを突設した円盤状の側板に複数のブレードを形成したボス付ファンユニットと、リング状のフレームに複数のブレードを形成したファンユニットと、円盤状の側板両側に軸を突設したエンドプレートとから構成され、一側にボス付ファンユニットを配置し、他側にエンドプレートを配置するとともに、中央部に複数個のファンユニットを配置して、これらを超音波接合により接合して完成されるようになっている。
【０００７】
しかしながら、室内ユニット本体内の片側上下に一対の駆動モータを配置し、これにクロスフローファンを夫々接続する方法では、上部のクロスフローファンと下部のクロスフローファンとでは、ブレードの向きが異なるクロスフローファンを２種類製造する必要があり、上部と下部のクロスフローファンで夫々３種類の部材、計６種類の部材が必要とされる。６種類の部材を形成するためには、合計６個の金型が必要とされ、金型費用が嵩むとともに、空気調和機においてもコスト上昇の要因となっていた。
【特許文献１】特開昭６３−２９０１８号（３頁、図１）
【特許文献２】特開平３−１１７８２８号（３頁、図２）
【発明の開示】
【発明が解決しようとする課題】
【０００８】
本発明は、上記問題点に鑑み、上下二段に配置され、ブレードの向きが異なるクロスフローファンを製作するに際し、必要とされる金型個数を低減してコスト削減を図れるクロスフローファンを提供することを目的とする。
【課題を解決するための手段】
【０００９】
本発明は、上記課題を解決するため、同一方向に配設された一対の駆動源に、回転方向が異なるように夫々接続される一対のクロスフローファンであって、前記クロスフローファンは、前記駆動源に接続されるボス付ファンユニットと、リング状のフレーム一側に複数のブレードを形成したファンユニットと、円盤状の側板に軸を突設した軸付エンドプレートと、円盤状の側板にボスを突設したボス付エンドプレートと、前記ファンユニットに軸を突設した軸付ファンユニットとからなり、一方は、前記ボス付ファンユニットと、前記フレームを同ボス付ファンユニット側に位置させた複数の前記ファンユニットと、前記軸付エンドプレートとを夫々接合して構成され、他方は、前記ボス付エンドプレートと、前記フレームを同ボス付ファンユニットの反対側に位置させた複数の前記ファンユニットと、前記軸付ファンユニットとを夫々接合して構成されるようになっている。
【発明の効果】
【００１０】
本発明によると、上部に配置される第一クロスフローファンを、ボス付ファンユニットと、複数個のファンユニットと、エンドプレートとから構成する一方、下部に配置される第二クロスフローファンを、エンドプレートと、反転した複数個のファンユニットと、軸付ファンユニットで構成することにより、これらの部材を成型する金型個数は計５個で済み、金型個数とともに、その費用を低減することができるクロスフローファンとなっている。
【発明を実施するための最良の形態】
【００１１】
以下、本発明の実施の形態を、添付図面に基づいた実施例として詳細に説明する。
【実施例１】
【００１２】
図１（Ａ）は本発明によるクロスフローファンを用いた空気調和機を示す外観斜視図であり、図１（Ｂ）はその分解斜視図である。図２は断面図であり、図３がクロスフローファンの構成部材を示す説明図である。図４（Ａ）及び図４（Ｂ）は第一クロスフローファン及び第二クロスフローファンの構成を示す説明図である。また、図５は要部斜視図である。
【００１３】
本発明によるクロスフローファンを用いた床置型の空気調和機１は、図１（Ａ）で示すように、前後寸法が狭い薄型状に形成された本体の前面中央に、室内空気を吸入する吸込グリル２を設け、本体上部に上部吹出口６を、本体下部に下部吹出口７を夫々設けている。本体両側には、パネルＲ３とパネルＬ４が前記吸込グリル２を挟持するように設けられ、本体背面には、前面が開放された矩形状の背面パネル５が設けられている。また、前記上部吹出口６と前記吸込グリル２との間には、運転状態を表示する複数のＬＥＤからなる表示部８が設けられている。
【００１４】
前記本体は、図１（Ｂ）の分解斜視図で示すように、前面側から、多数の横桟から形成された平板状の前記吸込グリル２と、前記背面パネル５の前面両側に装着される縦長状に形成された左右一対のパネルＲ３及びパネルＬ４を設け、前記吸込グリル２の裏面に、枠体と同枠体内に張設された不織布とからなり、前記吸込グリル２から吸引された室内空気に含有される塵埃を除去するフィルタ１０を着脱自在に設けている。
【００１５】
前記背面パネル５の前面側には、平行して並べられた多数のフィンと、同フィンに直交するように配設された蛇行状の伝熱管とからなり、前記吸込グリル２から吸込まれた空気と熱交換を行う熱交換器１２が設けられており、また、その前面側には、複数の桟から形成され、前記フィルタ１０を摺動自在に支持する前面パネル９が設けられている。また、前記背面パネル５には、メンテナンスの際、開閉を行えるブランケット１１が設けられている。
【００１６】
前記熱交換器１２の背面には、図２の断面図で示すように、前記上部吹出口６に対応して第一クロスフローファン１３が、前記下部吹出口７に対応して第二クロスフローファン１４が夫々設けられている。前記吸込グリル２から吸込まれた室内の空気は、矢印で示すように、前記フィルタ１０を通過して含有する塵埃を除去された後、前記熱交換器１２で熱交換され、熱交換された空気は第一クロスフローファン１３により、風向偏向板６ａを備えた前記上部吹出口６から室内に送出される一方、前記第二クロスフローファン１４により、風向偏向板７ａを備えた前記下部吹出口７から室内に送出されるようになっている。尚、前記第一クロスフローファン１３と前記第二クロスフローファン１４とは逆回転するようになっている。
【００１７】
次に、前記第一クロスフローファン１３及び前記第二クロスフローファン１４の構成について説明する。図３で示すように、前記第一クロスフローファン１３及び前記第二クロスフローファン１４は、５種類の部材を超音波接合により夫々接合して製造されるようになっている。第一の部材は、ボス１５ｃを突設した円盤状の側板１５ａに複数のブレード１５ｂを形成したボス付ファンユニット１５からなり、第二の部材は、リング状のフレーム１９ａに複数のブレード１９ｂを形成したファンユニット１９からなっている。第三の部材は、円盤状の側板１６ａ両側に軸１６ｂを突設したエンドプレート１６からなり、第四の部材は、円盤状の側板１７ａにボス１７ｂを突設したボス付エンドプレート１７からなっている。また、第五の部材は、軸１８ｃを突設した円盤状の側板１８ａに複数のブレード１８ｂを形成した軸付ファンユニット１８からなっている。
【００１８】
前記ファンユニット１９は、図３の斜視図で示すように中央部が開放されたリング状のフレーム１９ａの側面円周上に、湾曲状に形成された多数のブレード１９ｂを、向きが一定方向となるように一体形成されている。
【００１９】
次に、前記第一クロスフローファン１３の構成について説明する。図４（Ａ）に示すように、前記第一クロスフローファン１３は、一側に前記ボス付ファンユニット１５を配置し、他側に前記ンドプレート１６を配置するとともに、中央部に、前記フレーム１９ａを前記ボス付ファンユニット１５側になるようにして、前記ファンユニット１９を複数個配置している。これらが超音波溶着により夫々接合されることにより前記第一クロスフローファン１３は完成されるようになっている。また、Ａ−Ａ断面で示すように、反時計方向に回転することにより、前記上部吹出口６から熱交換された空気を室内に送出するようになっている。
【００２０】
前記第二クロスフローファン１４の構成について説明する。図４（Ｂ）で示すように、前記第二クロスフローファン１４は、一側に、前記ボス付エンドプレート１７を配置し、他側に前記軸付ファンユニット１８を配置するとともに、中央部に、前記フレーム１９ａを前記軸付ファンユニット１８側になるようにして、前記ファンユニット１９を複数個配置している。これらが超音波溶着により夫々接合されることにより前記第二クロスフローファン１４は完成されるようになっている。また、Ｂ−Ｂ断面で示すように、時計方向に回転することにより、前記下部吹出口７から熱交換された空気を室内に送出するようになっている。
【００２１】
上記したように、前記第一クロスフローファン１３を前記ボス付ファンユニット１５と、前記ンドプレート１６と、複数の前記ファンユニット１９とから構成し、前記第二クロスフローファン１４を、前記ボス付エンドプレート１７と、前記軸付ファンユニット１８と、複数の前記ファンユニット１９とから構成することにより、ブレードの向きが異なる前記第一クロスフローファン１３と前記第二クロスフローファン１４とを５種類の部材で製造することができるようになっており、５種類の部材を樹脂成型する金型個数も５個となって金型個数とともに、金型費用を低減することができるようになっている。
【００２２】
前記第一クロスフローファン１３と前記第二クロスフローファン１４とは、図５で示すように、前記背面パネル５の前面側にに上下二段に装着されるようになっている。前記前記第一クロスフローファン１３には第一駆動モータ２０が連結され、前記第二クロスフローファン１４には第二駆動モータ２１が連結されるようになっており、これら第一駆動モータ２０と第二駆動モータ２１とは、前記背面パネル５の同一側面に配設される一方、回転方向は夫々逆方向となるように制御されるようになっている。また、前記第一クロスフローファン１３のブレードの向きはＡ−Ａ断面で示す向きに形成され、前記第二クロスフローファン１４のブレードの向きはＢ−Ｂ断面で示す向きに形成されており、夫々逆回転数することにより前記上部吹出口６と前記下部吹出口７とから円滑に熱交換された空気を送出することができるようになっている。
【００２３】
以上、説明したように、前記第一クロスフローファン１３を、前記ボス付ファンユニット１５と、複数個の前記ファンユニット１９と、前記エンドプレート１６とから構成する一方、前記第二クロスフローファン１４を、前記エンドプレート１７と、複数個の前記ファンユニット１９と、前記軸付ファンユニット１８で構成することにより、これらを夫々成型する金型個数は計５個で済み、金型個数とともに、その費用を低減できるクロスフローファンとなっている。
【図面の簡単な説明】
【００２４】
【図１】（Ａ）は本発明によるクロスフローファンを用いた空気調和機を示す外観斜視図である。
【００２５】
（Ｂ）はその分解斜視図である
【図２】本発明によるクロスフローファンを用いた空気調和機の断面図である。
【図３】クロスフローファンの構成部材を示す説明図である。
【図４】（Ａ）は第一クロスフローファンの構成を示す説明図である。
【００２６】
（Ｂ）は第二クロスフローファンの構成を示す説明図である。
【図５】本発明によるクロスフローファンを用いた空気調和機の要部斜視図である。
【符号の説明】
【００２７】
１  空気調和機
２  吸込グリル
３  パネルＲ
４  パネルＬ
５  背面パネル
６  上部吹出口
６ａ  風向偏向板
７  下部吹出口
７ａ  風向偏向板
８  表示部
９  前面パネル
１０  フィルタ
１１  ブランケット
１２  熱交換器
１３  第一クロスフローファン
１４  第二クロスフローファン
１５  ボス付ファンユニット
１５ａ  側板
１５ｂ  ブレード
１５ｃ  ボス
１６  エンドプレート
１６ａ  側板
１６ｂ  軸
１７  ボス付エンドプレート
１７ａ  側板
１７ｂ  ボス
１８  軸付ファンユニット
１８ａ  側板
１８ｂ  ブレード
１８ｃ  軸
１９  ファンユニット
１９ａ  フレーム
１９ｂ  ブレード
２０  第一駆動モータ
２１  第二駆動モータ
【図１】
2008267181.tif 000003
【図２】
2008267181.tif 000004
【図３】
2008267181.tif 000005
【図４】
2008267181.tif 000006
【図５】
2008267181.tif 000007